(57)【要約】保護されるべきコンテンツやネット配信コンテンツの完全コピーを防止し、コンテンツ著作権の保護を図るコンテンツ管理方法とコンテンツ配信方法を提供する。少なくとも２つののデータでコンテンツデータが構成され、一方のデータがディスクに、他方のデータがネットを経由して接続されるサーバ側に設けられたメモリにそれぞれ格納され、ディスク再生時に、両データを取得してコンテンツデータを再生する。【特許請求の範囲】
【請求項１】
少なくとも２つのデータでコンテンツデータが構成され、一方のデータがディスクに、他方のデータがネットを経由して接続されるサーバ側に設けられたメモリにそれぞれ格納され、
前記ディスク再生時に、前記少なくとも２つのデータを取得して前記コンテンツデータを再生することを特徴とするコンテンツ管理方法。
【請求項２】
前記ディスク再生時に、前記ディスクに格納されている情報に基づいて前記サーバにアクセスして前記他方のデータを読み出し、前記コンテンツデータを再生することを特徴とする請求項１に記載のコンテンツ管理方法。
【請求項３】
少なくとも第１乃至第３のデータでコンテンツデータが構成され、前記第１のデータがディスクに、前記第２のデータが前記ディスクに搭載された電子回路のメモリに、前記第３のデータがネットを経由して接続されるサーバ側に設けられたメモリにそれぞれ格納され、
前記ディスク再生時に、前記第２のデータ及び前記第３のデータを取得して前記コンテンツデータを再生することを特徴とするコンテンツ管理方法。
【請求項４】
前記ディスク再生時に、前記ディスクに搭載された電子回路のメモリに格納された前記第２のデータを読み出し、前記ディスクに格納されている情報に基づいて前記サーバにアクセスして前記第３のデータを読み出し、前記コンテンツデータを再生することを特徴とする請求項３に記載のコンテンツ管理方法。
【請求項５】
前記サーバ側に格納されているデータはスクランブル処理されていることを特徴とする請求項３又は４に記載のコンテンツ管理方法。
【請求項６】
前記電子回路のメモリには、前記ディスクを扱う特定のユーザや店を特定するコードを記憶しておき、前記ディスク再生時には、前記メモリに記憶されているコードと、再生側で予め設定されているコードとを比較し、両コードが一致したときのみ再生を可能とすることを特徴とする請求項１乃至５のいずれかに記載のコンテンツ管理方法。
【請求項７】
ディスクに記録されているＩＤ情報と前記電子回路側に記憶されているＩＤ情報とを比較し、両者が一致しているときのみ前記ディスクの再生を可能とすることを特徴とする請求項１乃至６のいずれかに記載のコンテンツ管理方法。
【請求項８】
前記第３のデータに予め付与されているＩＤ情報と前記電子回路側に記憶されているＩＤ情報とを比較し、両者が一致しているときのみ前記ディスクの再生を可能とすることを特徴とする請求項１乃至７のいずれかに記載のコンテンツ管理方法。
【請求項９】
前記再生時には、前記ディスク再生側は、ネットを介してサーバに接続され、前記サーバ側では、前記ディスク再生側から受信した前記コードを管理することを特徴とする請求項１乃至８のいずれかに記載のコンテンツ管理方法。
【請求項１０】
前記コードが重複するときには、前記ディスクの電子回路のメモリに記憶されている前記コードを削除することを特徴とする請求項９に記載のコンテンツ管理方法。
【請求項１１】
前記第３のデータのうち前記第１及び第２のデータの少なくとも一方に対応するデータとしてノイズデータが記録されていることを特徴とする請求項１乃至１０のいずれかに記載のコンテンツ管理方法。
【請求項１２】
前記電子回路はＲＦＩＤで構成されることを特徴とする請求項１乃至１１のいずれかに記載のコンテンツ管理方法。
【請求項１３】
前記ディスク再生側には、認証装置が設けられ、特定ユーザのみが利用できるようにしたことを特徴とする請求項１乃至１２のいずれかに記載のコンテンツ管理方法。
【請求項１４】
前記認証装置は、生体認証装置であることを特徴とする請求項１乃至１３のいずれかに記載のコンテンツ管理方法。
【請求項１５】
前記ディスクは、光ディスクであることを特徴とする請求項１乃至１４のいずれかに記載のコンテンツ管理方法。
【請求項１６】
ＯＮ  ＤＥＭＡＭＤビデオ配信サービスに基づくコンテンツ配信方法において、
前記コンテンツデータが少なくとも２つのデータに分割され、一方のデータがディスクに、他方のデータがネットを経由して接続されるサーバ側に設けられたメモリにそれぞれ格納され、
前記コンテンツ再生時に、前記ディスクから前記一方のデータを読み出すとともに、前記サーバ側のメモリから前記他方のデータの配信を受け、得られた２つのデータに基づいて前記コンテンツデータを再生することを特徴とするコンテンツ配信方法。
【請求項１７】
ＯＮ  ＤＥＭＡＭＤビデオ配信サービスに基づくコンテンツ配信方法において、
前記コンテンツデータが第１乃至第３のデータに分割され、前記第１のデータがディスクに、前記第２のデータが前記ディスクに搭載された電子回路に、前記第３のデータがネットを経由して接続されるサーバ側に設けられたメモリにそれぞれ格納され、
前記コンテンツ再生時に、前記ディスクから前記第１と第２のデータを読み出すとともに、前記サーバ側のメモリから前記第３のデータの配信を受け、前記第１乃至第３のデータに基づいて前記コンテンツデータを再生することを特徴とするコンテンツ配信方法。
【請求項１８】
前記ディスクには、前記コンテンツのうち予め定めた“さわり”の部分だけが複数タイトル分収録され、再生時、前記ディスク独自で予め設定されているウェブサイトにアクセスして対応するコンテンツデータの配信を受けることを特徴とする請求項１６又は１７に記載のコンテンツ配信方法。
【請求項１９】
前記第１と第２のデータは、前記コンテンツデータの中で、予め定めた特定のデータを割り当てていることを特徴とする請求項１７又は１８に記載のコンテンツ配信方法。
【請求項２０】
前記他方のデータのうち前記一方のデータに相当する部分のデータはノイズデータであることを特徴とする請求項１６に記載のコンテンツ配信方法。
【請求項２１】
前記第３のデータのうち前記第１と第２のデータの少なくとも一方に相当する部分のデータはノイズデータであることを特徴とする請求項１７乃至１９のいずれかに記載のコンテンツ配信方法。
【請求項２２】
プロバイダーからネット経由でコンテンツデータを配信するコンテンツ配信方法において、
前記コンテンツデータを少なくとも２つのデータに分割し、一方のデータがディスクに、他方のデータがネットを経由して接続されるサーバ側に設けられたメモリにそれぞれ格納され、
前記ディスク再生時に、前記一方のデータと前記ネット経由で取得した前記他方のデータとを結合して前記コンテンツデータを再生することを特徴とするコンテンツ配信方法。
【請求項２３】
プロバイダーからネット経由でコンテンツデータを配信するコンテンツ配信方法において、
前記コンテンツデータを少なくとも第１乃至第３のデータに分割し、前記第１のデータがディスクに、前記第２のデータが前記ディスクに搭載された電子回路に、前記第３のデータがネットを経由して接続されるサーバ側に設けられたメモリにそれぞれ格納され、
前記ディスク再生時に、前記第１のデータと前記第２のデータを取得し、前記ネット経由で取得した前記第３のデータと結合して前記コンテンツデータを再生することを特徴とするコンテンツ配信方法。
【請求項２４】
前記一方のデータには、前記コンテンツデータの予め定めた“さわり”部分に相当するデータが格納されていることを特徴とする請求項２２に記載のコンテンツ配信方法。
【請求項２５】
前記一方のデータには、前記コンテンツデータの予め定めた“さわり”部分に相当するデータが格納されていることを特徴とする請求項２３に記載のコンテンツ配信方法。
【請求項２６】
前記ディスクに格納されている前記配信元のアドレスに基づいてネットを経由して前記配信元に接続され、前記第他方のデータ又は第３のデータがダウンロードされることを特徴とする請求項２２乃至２５のいずれかに記載のコンテンツ配信方法。
【請求項２７】
前記ディスクは、光ディスクであることを特徴とする請求項１６乃至２６のいずれかに記載のコンテンツ配信方法。
【発明の詳細な説明】
【技術分野】  本発明はネット経由で配信されるコンテンツの不法コピーを防止し、コンテンツの適切な保護を図るようにしたコンテンツ管理方法及びネットを経由してコンテンツを配信するコンテンツ配信方法に関する。
【背景技術】  ＣＤやＤＶＤ等の大容量記憶媒体の出現に伴って音楽、映画、ゲームソフト等のコンテンツデータをこれら記憶媒体に格納するのが一般的になっている。ＣＤやＤＶＤでは、音楽や映像は特殊なフォーマットで記録されているため、コンピュータなどを用いて単純なデータコピーを行っただけでは、コピーしたデータから音楽や映像の再生を行うことはできない。
一方、これら記憶媒体に格納されているコンテンツが上記のような特殊なフォーマット処理が施されていない場合、格別な認証手段が設けられていない限り無制限にコピー可能で、著作権管理という観点からは大きな問題となっている。
また、特殊なフォーマット処理が施されていてもコピー防止が万全であるわけではない。すなわち、現在、ＣＤ−Ｒ（ｒｅｃｏｒｄａｂｌｅ）、ＣＤ−ＲＷ（ｒｅｗｒｉｔａｂｌｅ）、ＤＶＤ−Ｒ、ＤＶＤ−ＲＷ、ＤＶＤ−ＲＡＭ（Ｒａｎｄｏｍ  Ａｃｃｅｓｓ  Ｍｅｍｏｒｙ）等、各種の記憶媒体にデータ書込みを行うドライブ装置が広く普及してきており、また、特殊ソフトウェアを用いることによりＣＤやＤＶＤ等のディスクデータを、同様の記憶媒体にそのまま不正コピーして、汎用再生装置で再生することも可能である。
かかるディスクの不正コピーを防止する技術としては、暗号化、コピープロテクト信号や認証情報の挿入、誤り訂正等、種々提案されている。例えば、特許文献１乃至４に開示されている。
［特許文献１］特開２００２−９２８９４公報
［特許文献２］特開２００４−４６８５９公報
［特許文献３］特開２００３−７７２１８公報
［特許文献４］特開２００４−１２７４４８公報
また、ブロードバンドを用いてネット経由で音楽や映像をダウンロードしてコンテンツ配信を受けるようなコンテンツ配信サービスの市場が、近年、著しく伸び、将来の更なる拡張性が確実視されている。
この種のコンテンツ配信サービスにおいては、有料で特定のユーザのみに配信し、利用可能とするために、配信されるコンテンツデータにはスクランブルがかけられ、特定のユーザ側でデスクランブルすることにより配信利用を可能としている。
【発明の開示】
しかしながら、コピープロテクト信号や認証信号の挿入技術では、プロテクトのための特殊な信号処理が必要であったり、認証機関が必要となる。また、暗号化信号を復号化するには復号情報が必要となり、システムが複雑化する。誤り訂正についても確実かつ安全を保障するものではない。
また、配信されるコンテンツデータにスクランブルをかけ、特定ユーザ側に設けられたデスクランブル装置によりデスクランブルする技術では、デスクランブル処理がやぶられると、すべてのコンテンツがハッキングされてしまい、著作権侵害がいとも簡単になされてしまう。
今後コンテンツのネット配信が主流になるであろうことを考えると、ハリウッドを代表としたコンテンツホルダーはコンテンツを強力な暗号化でネット配信したとしても、暗号を解読されてしまえば、著作権の損害は計り知れないものがある。
そこで、本発明の主目的は、保護されるべきコンテンツの完全コピーを防止し、コンテンツ著作権の保護を図ることができるコンテンツ管理方法を提供することにある。
本発明の他の目的は、ネット配信コンテンツの完全コピーを防止し、コンテンツ著作権の保護を図ることができるコンテンツ配信方法を提供することにある。
前述の課題を解決するため、本発明によるコンテンツ管理方法及びコンテンツ配信方法は、次のような特徴的な構成を採用している。
（１）少なくとも２つのデータでコンテンツデータが構成され、一方のデータがディスクに、他方のデータがネットを経由して接続されるサーバ側に設けられたメモリにそれぞれ格納され、
前記ディスク再生時に、前記少なくとも２つのデータを取得して前記コンテンツデータを再生するコンテンツ管理方法。
（２）前記ディスク再生時に、前記ディスクに格納されている情報に基づいて前記サーバにアクセスして前記他方のデータを読み出し、前記コンテンツデータを再生する上記（１）のコンテンツ管理方法。
（３）少なくとも第１乃至第３のデータでコンテンツデータが構成され、前記第１のデータがディスクに、前記第２のデータが前記ディスクに搭載された電子回路のメモリに、前記第３のデータがネットを経由して接続されるサーバ側に設けられたメモリにそれぞれ格納され、
前記ディスク再生時に、前記第２のデータ及び前記第３のデータを取得して前記コンテンツデータを再生するコンテンツ管理方法。
（４）前記ディスク再生時に、前記ディスクに搭載された電子回路のメモリに格納された前記第２のデータを読み出し、前記ディスクに格納されている情報に基づいて前記サーバにアクセスして前記第３のデータを読み出し、前記コンテンツデータを再生する上記（３）のコンテンツ管理方法。
（５）前記サーバ側に格納されているデータはスクランブル処理されている上記（３）又は（４）のコンテンツ管理方法。
（６）前記電子回路のメモリには、前記ディスクを扱う特定のユーザや店を特定するコードを記憶しておき、前記ディスク再生時には、前記メモリに記憶されているコードと、再生側で予め設定されているコードとを比較し、両コードが一致したときのみ再生を可能とする上記（１）乃至（５）のいずれかのコンテンツ管理方法。
（７）ディスクに記録されているＩＤ情報と前記電子回路側に記憶されているＩＤ情報とを比較し、両者が一致しているときのみ前記ディスクの再生を可能とする上記（１）乃至（６）のいずれかのコンテンツ管理方法。
（８）前記第３のデータに予め付与されているＩＤ情報と前記電子回路側に記憶されているＩＤ情報とを比較し、両者が一致しているときのみ前記ディスクの再生を可能とする上記（１）乃至（７）のいずれかのコンテンツ管理方法。
（９）前記再生時には、前記ディスク再生側は、ネットを介してサーバに接続され、前記サーバ側では、前記ディスク再生側から受信した前記コードを管理する上記（１）乃至（８）のいずれかのコンテンツ管理方法。
（１０）前記コードが重複するときには、前記ディスクの電子回路のメモリに記憶されている前記コードを削除する上記（９）のコンテンツ管理方法。
（１１）前記第３のデータのうち前記第１及び第２のデータの少なくとも一方に対応するデータとしてノイズデータが記録されている上記（１）乃至（１０）のいずれかのコンテンツ管理方法。
（１２）前記電子回路はＲＦＩＤで構成される上記（１）乃至（１１）のいずれかのコンテンツ管理方法。
（１３）前記ディスク再生側には、認証装置が設けられ、特定ユーザのみが利用できるようにした上記（１）乃至（１２）のいずれかのコンテンツ管理方法。
（１４）前記認証装置は、生体認証装置である上記（１）乃至（１３）のいずれかのコンテンツ管理方法。
（１５）前記ディスクは、光ディスクである上記（１）乃至（１４）のいずれかのコンテンツ管理方法。
（１６）ＯＮ  ＤＥＭＡＮＤビデオ配信サービスに基づくコンテンツ配信方法において、
前記コンテンツデータが少なくとも２つのデータに分割され、一方のデータがディスクに、他方のデータがネットを経由して接続されるサーバ側に設けられたメモリにそれぞれ格納され、
前記コンテンツ再生時に、前記ディスクから前記一方のデータを読み出すとともに、前記サーバ側のメモリから前記他方のデータの配信を受け、得られた２つのデータに基づいて前記コンテンツデータを再生するコンテンツ配信方法。
（１７）ＯＮ  ＤＥＭＡＮＤビデオ配信サービスに基づくコンテンツ配信方法において、
前記コンテンツデータが第１乃至第３のデータに分割され、前記第１のデータがディスクに、前記第２のデータが前記ディスクに搭載された電子回路に、前記第３のデータがネットを経由して接続されるサーバ側に設けられたメモリにそれぞれ格納され、
前記コンテンツ再生時に、前記ディスクから前記第１と第２のデータを読み出すとともに、前記サーバ側のメモリから前記第３のデータの配信を受け、前記第１乃至第３のデータに基づいて前記コンテンツデータを再生するコンテンツ配信方法。
（１８）前記ディスクには、前記コンテンツのうち予め定めた“さわり”の部分だけが複数タイトル分収録され、再生時、前記ディスク独自で予め設定されているウェブサイトにアクセスして対応するコンテンツデータの配信を受ける上記（１６）又は（１７）のコンテンツ配信方法。
（１９）前記第１と第２のデータは、前記コンテンツデータの中で、予め定めた特定のデータを割り当てている上記（１７）又は（１８）のコンテンツ配信方法。
（２０）前記他方のデータのうち前記一方のデータに相当する部分のデータはノイズデータである上記（１６）のコンテンツ配信方法。
（２１）前記第３のデータのうち前記第１と第２のデータの少なくとも一方に相当する部分のデータはノイズデータである上記（１７）乃至（１９）のいずれかのコンテンツ配信方法。
（２２）プロバイダーからネット経由でコンテンツデータを配信するコンテンツ配信方法において、
前記コンテンツデータを少なくとも２つのデータに分割し、一方のデータがディスクに、他方のデータがネットを経由して接続されるサーバ側に設けられたメモリにそれぞれ格納され、
前記ディスク再生時に、前記一方のデータと前記ネット経由で取得した前記他方のデータとを結合して前記コンテンツデータを再生するコンテンツ配信方法。
（２３）プロバイダーからネット経由でコンテンツデータを配信するコンテンツ配信方法において、
前記コンテンツデータを少なくとも第１乃至第３のデータに分割し、前記第１のデータがディスクに、前記第２のデータが前記ディスクに搭載された電子回路に、前記第３のデータがネットを経由して接続されるサーバ側に設けられたメモリにそれぞれ格納され、
前記ディスク再生時に、前記第１のデータと前記第２のデータを取得し、前記ネット経由で取得した前記第３のデータと結合して前記コンテンツデータを再生するコンテンツ配信方法。
（２４）前記一方のデータには、前記コンテンツデータの予め定めた“さわり”部分に相当するデータが格納されている上記（２２）のコンテンツ配信方法。
（２５）前記一方のデータには、前記コンテンツデータの予め定めた“さわり”部分に相当するデータが格納されている上記（２３）のコンテンツ配信方法。
（２６）前記ディスクに格納されている前記配信元のアドレスに基づいてネットを経由して前記配信元に接続され、前記第他方のデータ又は第３のデータがダウンロードされる上記（２２）乃至（２５）のいずれかのコンテンツ配信方法。
（２７）前記ディスクは、光ディスクである上記（１６）乃至（２６）のいずれかのコンテンツ配信方法。
発明の効果
本発明によれば、保護されるべきコンテンツは、少なくとも２つに分割され、一方のデータがディスクに、他方のデータがネットを経由して接続されるサーバ側に設けられたメモリにそれぞれ格納され、ディスク再生時に、これら２つのデータを取得してコンテンツデータを再生している。また、保護されるべきコンテンツは、少なくとも３つのデータに分割され、第１のデータをディスクに、第２のデータをディスクに搭載された電子回路に、第３のデータをネットを経由して接続されるサーバ側に設けられたメモリにそれぞれ格納されており、ディスク再生時に、ディスクに搭載された電子回路に格納された第２のデータを読み出すとともに、サーバにアクセスして第３のデータを読み出し、第１乃至第３のデータに基づいてコンテンツデータを再生しているので、以下のような格別な効果を奏することができる。
（１）ネット経由でスクランブルされて送信されるデータがハッキングされたとしても、それだけではコンテンツを完全に再生できず、完全なるコンテンツコピーは不可能である。
（２）コンテンツ再生時に、所定の条件を満たした場合のみ、すべてのデータを合成して本来のコンテンツを再生可能としているので、単純なディスクコピーでは不完全なコンテンツ情報しか得られず、不法コピーの抑止力になる。
（３）所定の条件としては次のような条件が考えられる。すなわち、ディスクと電子回路それぞれには、当該ディスクを管理する管理者（店舗等）に管理コード（符号、記号、番号等）を書き込んでおき、再生時に、ディスクと電子回路に記録されている管理コードの管理が一致しているときのみ、上記３つの分割データの合成を可能とし、本来の全コンテンツ再生が可能となる。
（４）電子回路を搭載したディスクを用い、ディスクは、物理的なパスポートとして、ＤＮＳ（ドメインネームサーバ）を介せずに直接目的のＩＰアドレスにアクセス可能（パスワード等の入力を必要としないので安全性が高い上に操作が非常に簡単）であるだけでなく、個人情報のセキュリティも高い。
【図面の簡単な説明】  第１図は本発明によるコンテンツ管理方法及びコンテンツ配信方法を実行するための基本システム構成図である。
第２図は本発明の実施例における書換可能蓄積部（ＲＡＭ）に記憶されているコンテンツデータ、光ディスク部のＲＯＭまたはＲＡＭに記憶されているコンテンツデータ及び光ディスク上の電子回路のメモリに記憶されているコンテンツデータを示す図である。
第３図は本発明の実施例における電子回路のメモリ、光ディスク及び書換可能蓄積部（ＲＡＭ）に記録されているデータ例を示す図である。
第１図は本発明の実施例における処理手順を示すフローチャートである。
【発明を実施するための最良の形態】  以下、本発明によるコンテンツ管理方法及びコンテンツ配信方法の好適実施例の構成および動作を、添付図面を参照して詳細に説明する。
なお、以下の説明では、ＣＰＵ機能やメモリ等を有する電子回路を搭載した光ディスクを利用しているが、光ディスクに限らず任意のディスク、記憶媒体にも本発明が適用可能であることは勿論である。また、本発明を実施するための構成は、以下に述べるような構成に限定されず、任意の公知の構成を用いることができ、同様な機能を達成できる構成を採用することができる。
図１は、本発明によるコンテンツ管理方法及びコンテンツ配信方法を実行するための基本システム構成図である。本システムにおいては、ディスクドライブ１を用いて光ディスクを回転させて光ディスクからコンテンツデータを読み出したり、データを書き込んだりする。光ディスクの一面に設けられたデータ記憶部にはコンテンツ等の光データが記憶されている。光ディスクのデータ記憶部が形成されている面とは反対面には所定の信号処理を実行する電子回路（ＣＰＵ）１１が搭載されている。電子回路１１は、受発信部１１１、信号処理部１１２、管理部１１３、コードメモリ１１４、データメモリ１１５、管理メモリ１１６を備える。また、電子回路１１での信号処理結果や外部からの情報は、例えば、無線信号としてディスクドライブの受発信部（送受信回路）１１１を介して外部回路との間で送出／受信される。
図１を参照すると、ディスクドライブ１には光ディスクを挿入する挿入口（図示せず）が設けられ、挿入された光ディスクは所定速度で回転される。光ディスクの回転状態で、光ピックアップから光ディスク表面に向けてレーザ光を照射し、その反射光を光ピックアップを介して検出することにより光学的に記録されているデータを読み出す。また、光ピックアップからレーザ光を照射してデータを記録する。
ディスクドライブ１は、光ディスクを回転駆動するための駆動部１３とメモリ１４（必須ではないことは勿論である）を備える。光ディスクは、その一面は音楽情報、映像情報、プログラム情報等のデータが書き込まれたＲＯＭ領域と、任意のデータの書き込みが可能なＲＡＭ領域の少なくともいずれかを有する光データ記憶部１２を備え、他面はＣＰＵ機能を有する電子回路１１を備える。電子回路１１は、例えばＲＦＩＤ（Ｒａｄｉｏ  Ｆｒｅｑｕｅｎｃｙ  Ｉｄｅｎｔｉｆｉｃａｔｉｏｎ）部として形成することができる。勿論、電子回路１１は上記一面に設けることもできる。
ＲＦＩＤ部は、一般に、電磁波を使った非接触通信を可能とするもので、半導体メモリ（ＩＣチップ）内のデータを非接触の状態で通信（読み書き）可能とし、ＲＦＩＤ部は、通常、ＩＣチップとそれに接続したコイル状のアンテナから構成される。
受発信装置２は、リーダ／ライタ機能を有し、上記光ディスク面に配設された電子回路１１としてのＲＦＩＤ部のＩＣチップ内の受発信部１１１との間で無線通信によりデータ授受を行う。受発信装置２と、電子回路１１の受発信部１１１との間のデータ通信は、例えば１０６ｋｂｐｓの伝送速度で行われる。
電子回路１１（ＲＦＩＤ部）内のアンテナ（受発信部１１１）が受発信装置２からの電波を受信すると、共振作用により起電力が発生（電磁誘導等）するので、この起電力を電源整流部で整流して電子回路１１の電源として用いる。この電源によりＲＦＩＤ部内のＩＣチップが起動される。電源供給は、かかる構成に限定されるものではないことは勿論である。
演算装置３は、例えばパソコンであり、ＯＳ等の基本情報が格納されているＲＯＭ部（蓄積部）３１、書き換え可能な記憶部としてのＲＡＭ部３２、ＣＰＵ等の演算処理部３３、液晶等の表示部３４を備え、ディスクドライブ１との間でデータ授受を行い、所望の信号処理を行う。
生体認証装置４は、本システムの起動、動作を許可されたユーザのみに限定するためのもので、指紋認証、顔認証、声紋認証、瞳の虹彩認証等の生体系パラメータが考えられる。ディスクドライブ１の起動時（パソコン（演算装置）３に接続しておき、その起動時でも同様）、生体認証装置４の、例えば、指紋認証のための指紋読取部にユーザは所定の指を接触させて光学的に読み取り、予め記憶、登録されているユーザの指紋と照合し、両者が一致したときのみ使用を許可する。
さて、以上のような構成のシステムにおいて、本実施例では、音楽、映像等の保護されるべきコンテンツは、光ディスクの光データ記憶部１２と、電子回路１１のデータメモリ１１５と、サーバ５側のメモリ５１とに、それぞれ分割されて少なくとも第１乃至第３のデータとして記憶されている。第１と第２のデータの記憶、書き込みは工場出荷時に書き込んでおくことができるし、後で記録することもできる。このデータの書き込みは、ネット経由でダウンロードして行うこともできる。この場合には、当該データ自体を具体的な使用態様に応じて変化させることもできる。例えば、コンテンツ利用期間が限定された、つまり有効な期間限定で特別なキャラクタを付加することができる。
管理メモリ１１６は、光ディスクの管理情報を記憶するもので、本実施例では、当該光ディスクを管理する管理者としての店（例えば、光ディスクの販売店やレンタル店等）を特定するための唯一の店番コードが記憶されている。この店番コードをベースにして、パソコンはネット上のサーバと接続され、ダウンロードしたり、後述するようなコンテンツ管理を行う。
店番コードには、例えば、販売店名、担当者名、各ユーザ毎のＩＤコード等が含まれる。したがって、ネットで接続されたサーバ側がパソコン側から創出される店番コードを参照すれば、当該光ディスクの管理情報が得られ、トレーサビリティをもたせることができるようになる。
店番コードとしては、販売時に店名、部署名、担当者名及びタイムコードを店番コードと併せて書き込んでおけば、この種の店番コードは世界で只１個しか存在しないということができるようになり、同一店番コードをもつユーザや店等の人が重複してアクセスしてきた場合には不正アクセスの可能性があることが分かる。同一店番コードをベースに重複したアクセスがあった場合には、不正アクセスを阻止するために当該光ディスクの電子回路１１の管理メモリ１１６に記憶されている店番コードを削除する。店番コードが削除されると当該光ディスクは再生できないので、正規品の購入者（ユーザ）は、当該光ディスクを購入店に持ち込んで店番コードを変更して再生を可能とする必要がある。この場合、その人には、補償として景品等を渡して店番コードを変更する。
同一店番コードで重複アクセスするようなケースでは、当該正規品の購入者が直接または間接的に当該不正コピーに関わっている可能性が高いし、少なくとも店番コードをトレースすることにより、不正コピーに関与した人物または組織を割り出せることができる。
図２（Ａ）〜（Ｃ）には、コンテンツデータ（音声や映像データ）としての光データフォーマットの一例が示されている。図２（Ａ）には書換可能蓄積部（ＲＡＭ）に記憶されているコンテンツデータが、図２（Ｂ）には光ディスク部のＲＯＭまたはＲＡＭに記憶されているコンテンツデータが、図２（Ｃ）には光ディスク上の電子回路のメモリに記憶されているコンテンツデータが示されている。
図２（Ａ）〜（Ｃ）において、ＴＲＨはヘッドトラックで、光ディスク全体の情報を示す。ＴＲＮｉはナビゲーショントラックで、映像の章番号や映像出力順の指標データを示す。ＣＯＭｉはコマンドコードで、コンテンツトラックからデータを読み込むのに必要なデータを示す。ＤＩＤｉはＩＤ情報で被認証情報を示し、ＴＲＣｉはコンテンツトラックで映像データや音声データを示す。ここで、ｉは自然数である。
本例では、図２（Ａ）に示すように、光ディスク部（ＲＯＭまたはＲＡＭ）にはコンテンツの“さわり”の映像と音声だけが予め記録されている。すなわち、ＴＲＮ２、ＣＯＭ２、ＤＩＤ２、及びＴＲＣ２、．．．、ＴＲＮｉ、ＣＯＭｉ、ＤＩＤｉ、またＴＲＣｉにＮＱＩＳＥが記録されている。記憶容量や通信速度に制約のある光ディスクの電子回路のメモリには、図２（Ｃ）に示すようにコンテンツの音声情報（ＴＲＮｉ、ＴＲＣｉ）を記録している。また、コンテンツトラックＴＲＣｉの“さわり”の部分を欠落させ、代わりにノイズデータ（ＮＯＩＳＥ）を埋め込んだ映像をネット経由ダウンロードしてパソコンのハードディスク（ＨＤＤ）等の書換可能蓄積部に記録されている。つまり、ＴＲＨ１、ＴＲＮ１、ＣＯＭ１、ＤＩＤ１、ＴＲＣ１、ＴＲＮ２、ＣＯＭ２、ＤＩＤ２、続いて、ＴＲＣ２にはＮＯＩＳＥが、ＴＲＮｉ、ＣＯＭｉ、ＤＩＤｉ、ＮＯＩＳＥのＴＲＣｉが、ＴＲＮｉ＋１、ＣＯＭｉ＋１、ＤＩＤｉ＋１、ＴＲＣｉ＋１が記録されている。
図２（Ａ）、（Ｂ）、（Ｃ）の対応するデータには矢印が付されている。図２に示す例では、ネット経由でダウンロードされるコンテンツデータのうち、図２（Ａ）に示すように、ＴＲＣ２とＴＲＣｉにはＮＯＩＳＥが記録され、このノイズデータＴＲＣ２の正しいデータが、ＴＲＣｉによるＮＯＩＳＥが図２（Ｂ）に示すように、光ディスクに記録され、電子回路部のメモリには、ＴＲＣｉには正しいデータが記録されている。
図３には、電子回路の管理メモリ１１６に記録されている上記店番コード、コードメモリに記録されている光ディスクの補完されたＩＤ情報ＤＩＤ１’＋Ｓ１、ＤＩＤ２’＋Ｓ１、．．．、ＤＩＤｉ’＋Ｓ１、ＤＩＤ２’＋Ｓ１に対応する欠損コードＴＲＮ２、ＤＩＤｉ’＋Ｓ１に対応する欠損コードＴＲＮｉ、欠損コードＴＲＮｉに対応してデータメモリに記録されているコンテンツトラックＴＲＣｉが記録されている。
前述のように、唯一性をできるだけ確保するために、本例では、店舗コードとして、店名、販売担当者、タイムコード（日時）を割り当てている。例えば、担当者名をＡ、Ｂ、．．．、Ｚとし、日時を「日」がＤで「時間」が２４時間表示としている。図３の例では、店番コードとしては、店Ｓ１に担当者Ａ〜Ｚがいるケースを前提とし、ディスク販売を担当者Ａ、Ｂ、Ｚが午前１０時５分、午後２時、午後１１時５９分にそれぞれ行った場合を示す。図３の電子回路の店番コードから当該ディスクは、店番号Ｓ１の担当者Ａから“Ｄ”日の午前１０時５分に購入したものであることが分かる。
また、光ディスクにＩＤ情報（ＤＩＤ１、ＤＩＤ２、ＤＩＤｉ）が記録され、ＤＩＤ２やＤＩＤｉに対応するナビゲーショントラックＴＲＮ２やＴＲＮｉ＊とコンテンツ（データ）トラックＴＲＣ２やＮＯＩＳＥが記録されている。更に、書換可能蓄積部（ＲＡＭ）には、ＩＤ情報としてのＤＩＤ１、ＤＩＤ２、ＤＩＤ３、ＤＩＤ４、ＤＩＤ５、．．．、ＤＩＤｉに対応するナビゲーショントラックＴＲＮ１、ＴＲＮ２＊、ＴＲＮ３、ＴＲＮ４、ＴＲＮ５、．．．、ＴＲＮｉ＊、及びコンテンツ（データ）トラックＴＲＣ１、ＴＲＣ２＊としてのＮＯＩＳＥ、ＴＲＣ３、ＴＲＣ４、ＴＲＣ５、．．．、ＴＲＮｉとしてのＮＯＩＳＥ、ＴＲＣｉ＋１、ＴＲＣｉ＋２等が記録されている。上記において、＊は欠損しているトラック番号と欠損情報を示す。
図４には、本実施例の処理手順を示すフローチャートが示されている。
先ず、ユーザが光ディスクを販売店で購入すると（ステップＳ１）、販売店のパソコン３及び受発信装置２からＲＦＩＤを介して電子回路１１の管理メモリ１１６に店番コードを記録する（ステップＳ２）。この状態で、当該光ディスクの利用が可能となる。
さて、ユーザが光ディスクをディスクドライブに挿入すると、電子回路１１の管理メモリ１１６から既存店番コードが読み込まれる（ステップＳ３）。次に、当該パソコンが設置されている店の店コード（予め入力、設定されている）と店番コードを比較し（ステップＳ４）、両者が一致しないときには不正として当該光ディスクの再生を不可能とする（ステップＳ５）。
ステップＳ４において、両者が一致していると判定されれば、電子回路１１のＤＩＤｉコード（ＩＤ情報、被認証情報）に店番コードを補完することにより所定のＤＩＤｉコードに変換して店番コードでＤＩＤｉをエンコーディングする（ステップＳ６）。
次に、ネットワークからコンテンツデータを、例えば、ＨＤＤ等の書換可能蓄積部（ＲＡＭ）にダウンロードして記憶し（ステップＳ７）、書換可能蓄積部（ＲＡＭ）からヘッドトラックＴＲＨｉとナビゲーショントラックＴＲＮｉを読み込み（ステップＳ８とＳ９）、書換可能蓄積部（ＲＡＭ）からコマンドコードＣＯＭｉ及び被認証情報コードＤＩＤｉを読み込む（ステップＳ１０）。
その後、書き換え可能蓄積部（ＲＡＭ）のＩＤ情報と電子回路のメモリに記憶されているＩＤ情報とを比較する（ステップＳ１１）。この比較は、またダウンロードしたデータが所定のフォーマットになっているか否かを判定し、間違ったデータがダウンロードされている場合には、再生を不可とするような処理を実行することをも含むような処理である。
ステップＳ１１において、両ＩＤ情報が一致していなければ、再生不可とし（ステップＳ５）、一致していれば、書き換え可能蓄積部（ＲＡＭ）のナビゲーショントラックＴＲＮｉに欠損コードがあるか否かを判定する（ステップＳ１２）。ここで、欠損コードがなければ、書き換え可能蓄積部（ＲＡＭ）のコンテンツトラックＴＲＣｉを読み込み（ステップＳ１３）、読み込んだコンテンツトラックＴＲＣｉのデータをデコーディングして（ステップＳ２０）、音楽・映像の鑑賞環境に至る（ステップＳ２１）。
一方、ステップＳ１２において、ナビゲーショントラックＴＲＮｉに欠損コードがあると判定されると、光ディスクの光データ記憶部からヘッドトラックＴＲＨまたはナビゲーショントラックＴＲＮｉを読み込み（ステップＳ１４）、光ディスクの光データ記憶部からコマンドコードＣＯＭｉ及び被認証情報コードＤＩＤｉを読み込む（ステップＳ１５）。
続いて、光ディスクのＩＤ情報と電子回路のＩＤ情報を比較して、光ディスクが偽造であるか否かを判定し（ステップＳ１６）、両情報が一致しない場合は偽造であるとして、再生不可とする（ステップＳ５）。ステップＳ１６において、両情報が一致していると判定されると、光ディスクのナビゲーショントラックＴＲＮｉに欠損コードがあるか否かを判定し（ステップＳ１７）、欠損コードがあると判定されると、電子回路のメモリのナビゲーショントラックＴＲＮｉに対応するコンテンツトラックＴＲＣｉを読み込み（ステップＳ１８）、読み込んだコンテンツトラックＴＲＣｉのデータをデコーディングして（ステップＳ２０）、音楽・映像の鑑賞環境に設定する（ステップＳ２１）。
ステップＳ１７において、光ディスクのナビゲーショントラックＴＲＮｉに欠損コードがないと判定されると、光ディスクの光データ記憶部からコンテンツトラックＴＲＣｉを読み込み、読み込んだコンテンツトラックＴＲＣｉのデータをデコーディングして（ステップＳ２０）、音楽・映像の鑑賞環境に設定する（ステップＳ２１）。
本発明の適用例として、以下、ブロードバンドを用いたＯＮ  ＤＥＭＡＮＤビデオ配信サービス（ネットＴＶ、ｅｔｃ．，）について説明する。このビデオ配信サービスにおいて、ガイドブック（月刊誌、ｅｔｃ．，）に映画等のコンテンツの”さわり”の部分だけを複数タイトル分収録したディスクを配布し、ガイドブックを購入したユーザは、当該ディスクをディスクドライブ装置とパソコンを利用して、ネット経由で当該配信元の関連ウェブサイトにアクセスして上記配信サービス情報をディスプレイに表示させる。ユーザは、ディスプレイに表示されている配信サービス対象のコンテンツのうち、購入を希望するコンテンツのアイコンをクリックすることにより、配信元から購入を希望するコンテンツをダウンロードする。その際、ディスクには、配信を受ける配信元のネット上のＩＰアドレスが書き込まれており、ユーザはディスクをディスクドライブ装置に挿入するだけで、配信元のパスワード等の入力は不要で、何らの設定なしで、配信元に接続される。このように、ディスクは、物理的なパスポートとして、ＤＮＳ（ドメインネームサーバ）を介せずに直接目的のＩＰアドレスにアクセス可能（パスワード等の入力を必要としない）ので安全性が高いだけでなく、操作も非常に簡単であり操作性も高い。
また、個人情報（クレジットカード番号、銀行口座、ＩＤコード等）は、ディスクに搭載した電子回路を利用しており、当該電子回路で制御、特定されるメモリに記憶されているため、外部から簡単には読み出せず、高いセキュリティが確保される。更に、上記ディスクは生体認証装置等の外部デバイスを自ら制御するので確実にユーザを認証可能であり不正アクセスを効果的に防止できる。
以上説明したように、本発明は、少なくとも２つのデータでコンテンツデータを分割構成し、一方のデータをディスクに、他方のデータをネットを経由して接続されるサーバ側に設けられたメモリにそれぞれ格納し、コンテンツデータ再生時に、これら分割データを結合して元のコンテンツデータを取得しており、ネット経由のハッキングやディスクのコピーだけでは、元のコンテンツデータを得ることができず、完全なコンテンツデータを取得することは極めて困難となって著作権保護をより確実に行うことができる。
各格納領域に分割格納されるデータの容量を考えると、例えば、ネット上から数百タイトルのコンテンツを配信する場合には２００ＧＢ〜４００ＧＢの大容量のコンテンツとなる。ネットから配信されるコンテンツを補完する「”さわり”のデータ」を、光ディスクの記憶領域と電子回路のメモリに分割して格納するときには、光ディスクの記憶領域に２ＧＢ、電子回路のメモリに数十ＭＢを用意できれば十分であるから対応は容易である。
本発明の応用例を説明すると、例えば、プロバイダーがブロードバンドを用いたネット経由でＶｉｄｅｏ  Ｏｎ  Ｄｅｍａｎｄサービスを行う場合、例えば５０タイトル分の映画の”さわり”の部分だけが収録された電子回路を搭載したディスク（ＲＯＭタイプ）を月刊誌代わりに配布する。ユーザはディスク経由関連ウェブサイトにアクセスし購入を希望するコンテンツのアイコンをクリックしコンテンツを購入する（ユーザはディスクを挿入するだけでパスワード等の入力は不要）ことができる。
こうしてネット経由で購入した音楽や映画等のコンテンツデータがダウンロードされ、パソコン等に接続されたＨＤＤ等のメモリに保存される。しかし、ダウンロードされるコンテンツデータには“さわり”の部分が欠落され、ノイズが埋め込まれている。音楽や映画等のコンテンツを再生するためには、ディスクをディスクドライブ装置に挿入して、ディスク記憶領域と、ディスク搭載電子回路のメモリに記憶されているデータ（上記“さわり”の部分等、ＨＤＤに保存されていないコンテンツデータの不足データ）を取得して、ＨＤＤからのデータと統合（結合）して完全なコンテンツデータを得て、音楽や映画を再生する。例えば、光ディスクの記憶領域には“さわり”の映像と音声の一部が記録され、電子回路部のメモリには“さわり”の音声の一部（重要なセリフなど）を記録することができる。なお、上記ダウンロードの代わりにストリーミングによる配信をする場合も同様である。
プロバイダーがネット経由Ｖｉｄｅｏ  Ｏｎ  Ｄｅｍａｎｄサービスを行う場合、例えば５０タイトル分の映画の”さわり”の部分だけが収録された上記電子回路が搭載された光ディスクを月刊誌代わりに配布する。ユーザは当該光ディスクに収録された映画のアイコンから購入したいタイトルのアイコンをクリックする。ネット経由購入した映画がダウンロードされ、またはストリーミングされ、ＨＤＤ等のメモリに保存されるが、ダウンロードされるものには“さわり”の部分が欠落し代わりにノイズが埋め込まれている。映画を再生するためには光ディスクを挿入し当該映像のアイコン（“さわり”の部分が埋め込まれている）をクリックしＨＤＤ等のメモリからのデータと統合されて初めて完全な映画として再生される。
このように、光ディスク部には“さわり”の映像と音声の一部が収録され、電子回路部のメモリには“さわり”の音声の一部（重要なセリフなど）が収録されている事を想定することにより不正コピーは一層困難になる。
ディスクは、物理的なパスポートとして、ＤＮＳ（ドメインネームサーバ）を介せずに直接目的のＩＰアドレスにアクセス可能（パスワード等の入力を必要としないので安全性が高い上に操作が非常に簡単）である。
個人情報（クレジットカード番号、銀行口座、ＩＤコード、ｅｔｃ．，）は電子回路を搭載したディスクであるため高いセキュリティ機能で保護される。
上記光ディスクの電子回路によって、上記生体認証装置等の外部デバイスを自ら制御するように構成すれば、より確実なユーザ認証を可能とし、不正アクセスの防止もより効果的に行うことができる。
以上の実施例の説明は、ネット経由でサーバからコンテンツデータを受信するような構成を前提としているが、顧客並びに販売店の双方ともブロードバンド環境がない場合には、ディスク販売店にコンテンツ管理用のＨＤＤまたはＤＶＤ（業務用原盤）等を用意する。この場合は、ウェブサイト上のサーバではなくて当該ＨＤＤまたはＤＶＤ等に予め欠損部を設けたコンテンツを収録しておき顧客のＤＶＤに対し、管理コードを加えてコピーする形で販売するような構成も可能である。
以上、本発明によるコンテンツ管理方法及びコンテンツ配信方法の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図１】
2006025291.tif 000002
【図２】
2006025291.tif 000003
【図３】
2006025291.tif 000004
【図４】
2006025291.tif 000005
【国際調査報告】
2006025291.tif 000006
2006025291.tif 000007